(57)【特許請求の範囲】
【請求項１】
下記（イ）〜（ニ）の各手段を有し、供給台上に折り目を下にして立てた状態で載置した折丁を折目方向に沿って１部ずつ引き出し折丁の上部を開いて送出することを特徴とする折丁供給装置。
（イ）折丁を載置する供給台
（ロ）供給台の載置面に対して直立した面を有する板状部材であって、供給台上に折目を下にして立てて載置された折丁の外面が、前記面に接した状態で引き出されるように設けられた支持板
（ハ）支持板の、折丁引き出し方向での前方側に、支持板から前方へ突出している折丁の、支持板に接している側の面の上方部分を吸着し、折丁を引き出しながら折丁の前記上方部分を支持板の折丁進行方向延長面より外側へ開くように動く吸引移動手段
（ニ）前記吸引移動手段によって引き出された折丁の下方部分を両側から２個のローラで挟んで折丁を送り出す搬送ローラ対
【請求項２】
前記吸引移動手段との間に折丁が通過する間隔を置いて、折丁の支持板に接していない側の面をエアで吸引する吸引手段が設けられていることを特徴とする請求項１記載の折丁供給装置。
【請求項３】
前記吸引移動手段の吸引移動平面と重なる位置から折丁搬送方向へ延び、折丁の上方部分の開きが大きくなれるよう、両側上縁の間隔が、前方へ行く程大きくなっていく部分を有するガイド板を有することを特徴とする請求項１又は請求項２記載の折丁供給装置。
【請求項４】
前記吸引移動手段が、前記支持板から前方へ突出している折丁の支持板に接している側の面の上方部分を吸着するエア吸引穴を有し、このエア吸引穴が前記供給台の載置面と平行な面内の円弧に沿って移動するサクションロータであることを特徴とする請求項１ないし請求項３のいずれか１項に記載の折丁供給装置。
【請求項５】
前記吸引移動手段が、吸引チャンバとそれを周回するサクションベルトとからなり、吸引チャンバは前記支持板より突出している折丁の支持板に接している側の面に対向する面およびその面に続いて支持板の延長面の背面側へ傾斜する面を有し、各面にはエア吸引穴が設けられこの面をサクションベルトが移動して行くことにより折丁がベルトに吸着されて引き出され移動して行くものであることを特徴とする請求項１ないし請求項３のいずれか１項に記載の折丁供給装置。
【発明の詳細な説明】
【技術分野】
【０００１】
本発明は、載置されている折丁の束から折丁を１部ずつ引き出して、その折丁の折の間へ他の用紙を挟み込めるように折りをＶ字状に開いて送り出す折丁供給装置の技術分野に関する。
【背景技術】
【０００２】
図５は従来の折丁供給装置の構成略図である。
（ａ）は正面図であり、（ｂ）は右側側面図である。供給台２７には折丁が折目を手前側にして積載されている。（ｂ）に示すように供給台２７の底板３４の前方（図では左側）には折丁２８を取り出すための穴３２があいており、この穴３２の部分で最下層の折丁に引き出し吸着器２９の吸盤を吸着させて矢印方向に回転させることにより折丁を１部引き出し、下方の搬送手段３０の上に折目を下にして載置させる。搬送手段３０は（ａ）に示すように折丁２８を矢印方向へ搬送する。その前方には開き吸着器３１が設けられており、折丁２８が到来するとその片面（（ｂ）では右面）を吸盤で吸着し、回転することにより折丁を開いて搬送方向へ送り出しその先で開いた折丁の間へ中入れ紙葉を入れることになる（例えば、特許文献１、２参照）。
【特許文献１】特開２００６−３４７０４６号公報（段落［００１３］〜［００１７］、図１、図２）
【特許文献２】特開２００７−０９９４２３号公報は（段落［００１８］、［００１９］、図２）
【発明の開示】
【発明が解決しようとする課題】
【０００３】
しかしながら、上記背景技術においては、折丁を開いて送り出すために、引き出し吸着器、搬送手段および開き吸着器があり、構成手段が多いうえ、それに起因して占有空間が広くなるため装置が大型となり、その結果、高価なものになってしまうという問題点がある。
【０００４】
本発明は、上記背景技術における問題点に鑑みて、構成手段を少なくして占有空間を小さくするとともに、より低価格の折丁供給装置を実現することを解決課題とするものである。
【課題を解決するための手段】
【０００５】
本発明は、上記の課題を解決するために、以下の各手段構成を有する。
本発明の基本構成である第１の構成は、下記（イ）〜（ニ）の各手段を有し、供給台上に折り目を下にして立てた状態で載置した折丁を折目方向に沿って１部ずつ引き出し折丁の上部を開いて送出することを特徴とする折丁供給装置である。
（イ）折丁を載置する供給台
（ロ）供給台の載置面に対して直立した面を有する板状部材であって、供給台上に折目を下にして立てて載置された折丁の外面が、前記面に接した状態で引き出されるように設けられた支持板
（ハ）支持板の、折丁引き出し方向での前方側に、支持板から前方へ突出している折丁の、支持板に接している側の面の上方部分を吸着し、折丁を引き出しながら折丁の前記上方部分を支持板の折丁進行方向延長面より外側へ開くように動く吸引移動手段
（ニ）前記吸引移動手段によって引き出された折丁の下方部分を両側から２個のローラで挟んで折丁を送り出す搬送ローラ対
【０００６】
本発明の第２の構成は、前記第１の構成において、前記吸引移動手段との間に折丁が通過する間隔を置いて、折丁の支持板に接していない側の面をエアで吸引する吸引手段が設けられていることを特徴とする折丁供給装置である。
【０００７】
本発明の第３の構成は、前記第１の構成又は第２の構成において、前記吸引移動手段の吸引移動平面と重なる位置から折丁搬送方向へ延び、折丁の上方部分の開きが大きくなれるよう、両側上縁の間隔が、前方へ行く程大きくなっていく部分を有するガイド板を有することを特徴とする折丁供給装置である。
【０００８】
本発明の第４の構成は、前記第１ないし第３の構成のいずれか１つの構成において、前記吸引移動手段が、前記支持板から前方へ突出している折丁の支持板に接している側の面の上方部分を吸着するエア吸引穴を有し、このエア吸引穴が前記供給台の載置面と平行な面内の円弧に沿って移動するサクションロータであることを特徴とする折丁供給装置である。
【０００９】
本発明の第５の構成は、前記第１ないし第３の構成のいずれか１つの構成において、前記吸引移動手段が、吸引チャンバとそれを周回するサクションベルトとからなり、吸引チャンバは前記支持板より突出している折丁の支持板に接している側の面に対向する面およびその面に続いて支持板の延長面の背面側へ傾斜する面を有し、各面にはエア吸引穴が設けられこの面をサクションベルトが移動して行くことにより折丁がベルトに吸着されて引き出され移動して行くものであることを特徴とする折丁供給装置である。
【発明の効果】
【００１０】
本発明の基本構成である第１の構成の折丁供給装置は、前述の手段構成の通り、供給台からの折丁の引き出しと折りを開く手段を１つの吸引移動手段で行っており、更に折丁を引き出してから折を開くまでの間に別途の搬送手段を必要としないので、前記従来装置が折丁載置台から折丁を引き出すための吸着手段と、引き出した後折を開く場所まで搬送する搬送手段と、折を開くための吸引手段とを有するのに較べて構成が非常に簡単となり、それだけ小形にできるうえ製造コストも低価格にすることができるという効果がある。
【００１１】
本発明の第２の構成においては、折丁の、吸引移動手段が吸着する面と反対側の面を吸引する手段が設けられているので折丁の開きがより一層確実になるという効果がある。
【００１２】
本発明の第３の構成においては、ガイド板が吸引移動手段の吸引移動平面と重なる位置から設けられているので、吸引移動手段によって折を開かれた折丁の先端がガイド板にスムーズに受け継がれ更に、前方へ進むにつれて折丁の開く方へ傾斜が大きくなっているので折丁の開きが充分に得られるという効果がある。
【００１３】
本発明の第４の構成の吸引移動手段は、周面にエア吸引穴を有するロータを回転させるようになっており、折丁を吸引して回転することにより供給台からの引き出しと折りを開く動作を１個のロータで同時に行っているので占有空間の小さいものとなっている。
【００１４】
本発明の第５の構成は、それ自体は動かない吸引チャンバとそれを周回するベルトとからなっており、エア吸引穴の吸引力によって折丁がベルトに密着した状態で供給台からの引き出しと引き出した後の開きを行っており、吸引チャンバの大きさや吸引穴の大きさ、数により、吸引力を大きくできるので厚い折丁、硬い紙質の折丁などの場合に効果的である。
【発明を実施するための最良の形態】
【００１５】
供給台上へ折丁の束を折目を下にして載置した場合、最前端の折丁が支持板に安定して接するように後方から適切な力で押すようにする手段を設けるのが最良の形態である。
押す力は、吸引移動手段で折丁を引き出すのに支障がなく、且つ、折丁が次々と引き出されるにつれて後続の折丁が順次支持板に一定の力で押し付けられるような力とするのが最良である。
【００１６】
第２の構成の吸引手段は、折丁に対し吸引移動手段と反対側にあって折丁の折目の開きを助けるものであるから、吸引はしても吸着はしない程度の吸引力とするのが最良である。
【００１７】
第４の構成におけるサクションロータのエア吸引穴は、エア吸引源からのパイプと同径のままではなく、折丁に接する部分で縦方向にパイプ径より大きい凹部を形成するが、折丁を吸着して引き出すには最良である。
【００１８】
第５の構成においては、ベルト自体にもエア吸引穴を設けるのがエアチャンバのエア吸引穴の大きさをより活用することになり最良である。
【実施例】
【００１９】
以下、本発明の折丁供給装置の実施例を図面を参照して説明する。
図１は、第１の実施例の正面図であり、図２はその上面図である。
折丁は、図１において、折り目を下にして供給台１に置き、その紙面は支持板２に密着させるようにして立てる。先端は、ガイド１９に当接するようにする。供給台１に多くの部数が載置できるようになっており、サクションロータ３、同１６によって引き出され搬送ローラ４によって搬送されるにつれて、残りの折丁が支持板２の方へ進むように、折丁の折目部分に接しているベルト１０、同１１を支持板２の方へ向け移動させ、折丁が常に支持板２に接するようにしている。
【００２０】
本実施例では、吸引移動手段として、同軸で回転する上下２つのサクションロータ３、同１６を用いており、上のサクションロータ３は、供給台１からの折丁の引き出しと折りの開きを行わせ、下のサクションロータ１６は折丁引き出しの協働を行わせている。サクションロータ３および同１６にはそれぞれエア吸引穴９および同１７が設けられており、このエア吸引穴９、同１７は吸引パイプ７および同８によりエア吸引ポンプ６に結合されエアの吸引が行われるようになっている。そして、折丁に対する吸引効果を上げるため、エア吸引穴９および同１７を中心にして上下方向に長い凹部が形成されている。
【００２１】
折丁の、支持板２から飛び出している先端は、図１、図２におけるエア吸引穴９、同１７よりも右にあるから、エア吸引穴９、同１７は図の位置で折丁の、支持板２に接している側の紙面に接触している。
従って、エア吸引状態にすると折丁の紙面はエア吸引穴９、同１７を中心とする縦長凹部に吸着される。
【００２２】
その状態で、サクションロータ３、同１６が図２の矢印の方向へ回転すると、支持板２に接している折丁が１部引き出されることになる。引き出された折丁は、上のサクションロータ３の回転により折丁上部が開かれる。
一方、ガイド１２の左先端がサクションロータ３の回転円に重なるように出ているため、サクションロータ３によって開かれた折丁の支持板２に接していた側の紙葉の先端はガイド１２に掛かり、以後ガイド１２によってガイドされることになる。
【００２３】
それと同時に、折丁の支持板２に接していなかった側の紙葉は、ガイド１３に取り付けられた吸引ファン５の動作によりファン吸引穴２０からのエア吸引によりガイド１３側の方へ吸引され、折丁の開きは確実に行われることになる。そして下のサクションロータ１６の近くに設けられている、２個の挟みローラからなる搬送ローラ４の回転駆動によって、折目近くが挟まれて右方へ搬送されて行く。そして、一旦開かれた折丁が再び閉じないようにガイド１２は開きが大きくなる方向へ傾斜させるとともに、ガイド１２とガイド１３の間に中板１８が設けられている。捌き１５、サクションロータ３、同１６が折丁を引き出す毎に１部ずつしか通過できないようにしている。
【００２４】
図３は第２の実施例の正面図であり、図４はその上面図である。
第１の実施例と異なる点は、吸引移動手段として、サクションロータに代えて上下のサクションベルトを用いた点である。
上サクションベルト２１はプーリ２５、２５に掛け渡されて上吸引チャンバ２３の周囲を周回するようになっている。上吸引チャンバ２３が吸引パイプ７で図示されていないエア吸引ポンプ６に結合されている。上吸引チャンバ２３の折丁側の面には比較的大きなエア吸引穴が１個又は複数個設けられており、その部分を上サクションベルト２１が通過すると、上サクションベルト２１の穴２６をからエアを吸引するようになる。
このエア吸引によって、支持板２からベルトの所まで出ている折丁が吸着され、ベルトの周回によって引き出されていくことになる。
【００２５】
上吸引チャンバ２３の形状およびプーリ２５の配置は、上サクションベルト２１が、ガイド１９近くまでは、ほぼ支持板２の延長線上に伸び、ガイド１９の直前からは延長線から外側へ傾斜するように配置されている。
引き出された折丁はこの傾斜によって折りが開かれる方向に向かう。そしてこの傾斜部分の途中で、ガイド１２の左端部分が上サクションベルト２１の上で、上から見ると交差するように出ているので、開かれた折丁の紙面はガイド１２に沿って右方へ進むことになる。
【００２６】
下サクションベルト２２は、支持板２の延長線に沿ってのみ周回するようになっている。これは、下サクションベルト２２は折丁の折目に近い方にあるため、折丁の引き出し段階でこの部分を開く必要がないためである。
従って、下吸引チャンバ２４の形状も直方体状である。そして吸引パイプ８によってエア吸引ポンプ６に繋がっていることは上吸引チャンバ２３と同じである。引き出された後の部分の構成は、第１の実施例の場合と同じである。
また、供給台１、支持板２、ベルト１０、１１等の機能も全く第１の実施例の場合と同じである。
【図面の簡単な説明】
【００２７】
【図１】本発明の折丁供給装置の第１の実施例の正面図である。
【図２】本発明の折丁供給装置の第１の実施例の上面図である。
【図３】本発明の折丁供給装置の第２の実施例の正面図である。
【図４】本発明の折丁供給装置の第２の実施例の上面図である。
【図５】背景技術における折丁供給装置の構成概略図である。
【符号の説明】
【００２８】
１  供給台
２  支持板
３  サクションロータ
４  搬送ローラ
５  吸引ファン
６  エア吸引ポンプ
７  吸引パイプ
８  吸引パイプ
９  エア吸引穴
１０  ベルト
１１  ベルト
１２  ガイド
１３  ガイド
１４  ガイド
１５  捌き
１６  サクションロータ
１７  エア吸引穴
１８  中板
１９  ガイド
２０  ファン吸引穴
２１  上サクションベルト
２２  下サクションベルト
２３  上吸引チャンバ
２４  下吸引チャンバ
２５  プーリ
２６  穴
２７  供給台
２８  折丁
２９  引き出し吸着器
３０  搬送手段
３１  開き吸着器
３２  穴
３３  ベルト
３４  底板
【図１】
0005082061.tif 000002
【図２】
0005082061.tif 000003
【図３】
0005082061.tif 000004
【図４】
0005082061.tif 000005
【図５】
0005082061.tif 000006